(57)【特許請求の範囲】
【請求項１】
撮影レンズが配設された前面部と操作部が配設された背面部とを備え、前記撮影レンズからの光学画像を画像信号に変換して出力する撮像素子が内蔵された装置本体と、
前記装置本体の長手方向に細長く延びるように設けられた溝と、
前記溝に着脱自在に挿入されるとともに前記溝の長手方向に沿ってスライド移動自在のアーム部を備え、このアーム部が前記溝に着脱自在に挿入されることにより前記前面部，背面部のいずれかに択一的かつ着脱自在に装着され、前記画像信号に基づいて画像を表示画面に表示する画像表示ユニットと
からなり、
前記画像表示ユニットの前記前面部への装着に際しては、前記溝に挿入された前記アーム部が前記溝の長手方向に沿ってスライド移動されることにより、前記画像表示ユニットが、前記前面部の全体を覆って撮影レンズを保護するレンズ保護位置と、前記前面部の一部を覆って前記撮影レンズを露呈することにより自分撮りが行なえる自分撮り位置との間で移動することを特徴とする撮像装置。
【請求項２】
前記装置本体に設けられ、前記画像表示ユニットが前面部，背面部のどちらに装着されたかを検出する検出部と、
前記装置本体に設けられ、前記検出部の検出結果に基づいて動作モードを切り替える、もしくは動作モードの選択可能範囲を制限する制御部と
を備えたことを特徴とする請求項１記載の撮像装置。
【請求項３】
前記画像表示ユニットが前記自分撮り位置に装着されることにより表示画面に表示される画像が左右反転されることを特徴とする請求項１または２記載の撮像装置。
【請求項４】
前記画像表示ユニットは、前記背面部への装着に際しては、前記操作部が操作自在に露呈されるように背面部の一部を覆うことを特徴とする請求項１ないし３いずれか記載の撮像装置。
【請求項５】
前記背面部には、前記画像表示ユニットを前面部に装着した状態で装置本体を起立する脚部が開閉自在に設けられていることを特徴とする請求項１ないし４いずれか記載の撮像装置。
【発明の詳細な説明】
【技術分野】
【０００１】
本発明は、デジタルカメラやカメラ付き携帯電話などの撮像装置に関するものである。
【背景技術】
【０００２】
画像を撮像する撮像装置としては、デジタルカメラやカメラ付き携帯電話が普及している。このような撮像装置の中には、パーソナルコンピュータからビデオや写真や音声，音楽を転送し、画像を再生する画像ビューワとして使用したり、音楽を再生する音楽プレーヤとして使用できる多機能なものがある。
【０００３】
一方、光学系を介して入射した被写体像をフィルムに撮像する銀塩写真撮像手段と、光学系を介して入射した被写体像を映像信号に変換して記録媒体に記録する電子写真撮像手段と、電子写真撮像手段から出力される映像及びその他の情報を表示する電気表示素子とを備えた画像撮影装置において、非使用時に電気表示素子を保護する手段を設け、非使用時に電気表示素子を保護するようにした画像撮影装置が知られている（特許文献１）。
【０００４】
また、カメラボディをボディ内挿部およびボディカバー部で構成し、ボディ内挿部は、携帯時には、上面部、摘み部および以外をボディカバー部内に挿入している。ボディ内挿部は、ボディカバー部に上下方向にスライド移動可能として保持されており、使用時には、ボディカバー部から引き出して使用する。ボディ内挿部に設けられた撮像光学系、ファインダ光学系、測距窓部、モード切替えスイッチ、選択操作部およびストロボ発光部は、携帯状態では、ボディカバー部により覆われており、使用状態でのみ露出されて使用可能としている。これにより、機能構成およびレイアウトの自由度を充分に活かし、携帯性および操作性に優れ、使い勝手が良好な電子カメラが得られる（特許文献２）。
【０００５】
また、カメラボディの背面側にスライド可能に設けた表示部カバーが、第１の位置において再生表示装置の表示画面を覆い、第２の位置において前記表示画面を露出させる。表示部カバーと機械的に連動してカメラボディの前面側にレンズストロボカバーを設ける。表示部カバーが前記第１の位置に操作配置されたときに、カメラボディの撮像光学系の対物入射面およびストロボ発光部をレンズストロボカバーにより覆い、且つ表示部カバーが前記第２の位置に操作配置されたときに、レンズストロボカバーを退避させて前記対物入射面およびストロボ発光部を露出させる。表示部カバーおよびレンズストロボカバーの動作に連動して電源をオン／オフする。これにより、機能構成およびレイアウトの自由度を充分に活かし、携帯性および操作性に優れ、使い勝手が向上した電子カメラが得られる（特許文献３）。
【特許文献１】特開平０９−０４３７１６号公報
【特許文献２】特開２０００−３３８５５１号公報
【特許文献３】特開２０００−２７５７１５号公報
【発明の開示】
【発明が解決しようとする課題】
【０００６】
ところで、上述したようにデジタルカメラを画像ビューワや音楽プレーヤとして使用する場合、専用機器に比べて、保持しにくかったり、操作がやりにくいという問題ある。特に、デジタルカメラを携帯用の音楽プレーヤとして使用する場合には、音楽を聴くことに夢中になるにつれ、デジタルカメラを携帯しているという意識が希薄になるため、不用意に撮影レンズに指が触れ、撮影レンズに指紋やゴミを付けるという問題がある。
【０００７】
このような問題を改善するためには、上記特許文献１〜３に開示されているように、撮影レンズやファインダ，液晶ディスプレイなどに開閉自在のカバー（レンズバリアなど）を設け、デジタルカメラをミュージックプレーヤとして使用する場合には、前記カバーを閉じることが考えられる。しかしながら、デジタルカメラにカバー及びその開閉機構を付加するため、部品点数の増加と構造の複雑化を招き、ひいてはコストの上昇を招くという不都合が生じる。また、ユーザがカバーを閉じ忘れた場合には、カバーを設けていない従来のデジタルカメラと全く同じ問題が発生する。
【０００８】
また、デジタルカメラにレンズバリアを設けた場合、撮影レンズの鏡筒がカメラボディの前面から突出したタイプでは、携帯時に撮影レンズに外力が加わるので好ましくない。また、撮影レンズの鏡筒がカメラボディの前面から突出しないタイプ又は沈胴するタイプでは、携帯時に外力が撮影レンズに加わることがない反面、鏡筒も含む撮影レンズの前部全体を覆い隠すようにレンズバリアを設ける必要があるため、レンズバリアのサイズが大きくなり、結果としてカメラ自体が大型化するという問題がある。
【０００９】
本発明は、上記のような問題点を解決するためになされたもので、撮影以外の用途で用いる場合でもレンズバリアを設けることなく保持しやすく操作性も良好で撮影レンズへの指紋やゴミの付着を確実に防止できる撮像装置を提供することを目的とする。
【課題を解決するための手段】
【００１０】
本発明の撮像装置は、撮影レンズが配設された前面部と操作部が配設された背面部とを備え、前記撮影レンズからの光学画像を画像信号に変換して出力する撮像素子が内蔵された装置本体と、前記装置本体の長手方向に細長く延びるように設けられた溝と、前記溝に着脱自在に挿入されるとともに前記溝の長手方向に沿ってスライド移動自在のアーム部を備え、このアーム部が前記溝に着脱自在に挿入されることにより前記前面部，背面部のいずれかに択一的かつ着脱自在に装着され、前記画像信号に基づいて画像を表示画面に表示する画像表示ユニットとからなり、前記画像表示ユニットの前記前面部への装着に際しては、前記溝に挿入された前記アーム部が前記溝の長手方向に沿ってスライド移動されることにより、前記画像表示ユニットが、前記前面部の全体を覆って撮影レンズを保護するレンズ保護位置と、前記前面部の一部を覆って前記撮影レンズを露呈することにより自分撮りが行なえる自分撮り位置との間で移動することを特徴とする。
【００１１】
また、前記装置本体に設けられ、前記画像表示ユニットが前面部，背面部のどちらに装着されたかを検出する検出部と、前記装置本体に設けられ、前記検出部の検出結果に基づいて動作モードを切り替える、もしくは動作モードの選択可能範囲を制限する制御部とを備えることが好ましい。
【００１４】
また、前記画像表示ユニットが前記自分撮り位置に装着されることにより表示画面に表示される画像が左右反転されることを特徴とする。また、前記画像表示ユニットは、前記背面部への装着に際しては、前記操作部が操作自在に露呈されるように背面部の一部を覆うことを特徴とする。また、前記背面部には、前記画像表示ユニットを前面部に装着した状態で装置本体を起立する脚部が開閉自在に設けられていることを特徴とする。
【発明の効果】
【００１５】
本発明の撮像装置によれば、装置本体の前面部または背面部に択一的かつ着脱自在に画像表示ユニットを装着するようにし、画像表示ユニットの前面部への装着に際しては、画像表示ユニットがレンズ保護位置と自分撮り位置との間でスライド移動されるので、レンズ保護位置では、撮影レンズを配設した前面部の全体が画像表示ユニットによって覆われて撮影レンズが保護され、輸送・携帯時の外力にも強いカメラを実現することができるとともに、レンズバリアを設けることなく保持しやすく操作性も良好で撮影レンズへの指紋やゴミの付着を確実に防止できる。また、自分撮り位置では、前面部の一部が画像表示ユニットによって覆われ、撮影レンズを露呈することにより自分撮りを行なうことができる。また、画像表示ユニットの背面部への装着に際しては、画像表示ユニットの装着位置によって選択的に操作部を露出・隠蔽させれば、それぞれの使用形態において必要な操作部が操作しやすくなり、操作に迷うことがない。
【００１６】
また、装置本体の前面部または背面部に択一的かつ着脱自在に画像表示ユニットを装着し、画像表示ユニットが前面部，背面部のどちらに装着されたかを検出することにより、動作モードを切り替える、もしくは動作モードの選択可能範囲を制限するので、動作モードの切替ミスを低減し、レンズバリアを設けることなく保持しやすく操作性も良好で撮影レンズへの指紋やゴミの付着を確実に防止できる。
【００１９】
また、画像表示ユニットを自分撮り位置に装着することにより表示画面に表示される画像が左右反転するので、違和感なく自分の姿を観察しながら自分撮りを行なうことができる。また、画像表示ユニットは、操作部が操作自在に露呈するように背面部に装着されるので、露呈された操作部周辺を装置本体の把持を容易にするグリップ部として使用することもでき、操作性の向上に寄与できる。
【００２０】
また、背面部に脚部を開閉自在に設けたので、画像表示ユニットを背面部に装着するときには脚部を閉じることにより邪魔にならず、画像表示ユニットを前面部に装着するときには脚部を開くことにより、画像表示ユニットを装着した装置本体を机などの上に立てることが簡便にできる。
【発明を実施するための最良の形態】
【００２１】
本発明の実施形態であるデジタルカメラの外観を示す図１において、デジタルカメラ１０は、カメラ本体１１と、これに着脱自在に装着され、画像を表示する画像表示ユニット１２とからなる。デジタルカメラ１０は、カメラ本体１１への画像表示ユニット１２の装着の仕方を変更することにより、本来のデジタルカメラとしての使用以外に、画像ビューワやミュージックプレーヤとしての使用が簡単かつ操作性よく行なえる。
【００２２】
前記画像表示ユニット１２は、カメラ本体１１の前面部１１ａ，背面部１１ｂ（図２参照）と同じ形状かつ同じ大きさの矩形状をしたフレーム１４と、この一方の面の中央部に嵌め込まれた液晶ディスプレイ（ＬＣＤ）１５とからなる。このＬＣＤ１５は、本番撮影前に画面１５ａにスルー画を表示して電子ファインダとして使用されるとともに、撮影した画像やパーソナルコンピュータ経由でメモリカード４４（図２参照）に取り込んだＴＶ画像などのビデオ画像を再生表示する。
【００２３】
前記フレーム１４の上部と下部には、画像表示ユニット１２をカメラ本体１１に着脱自在に装着するＬ字状のアーム部１４ａ，１４ｂが形成されている。この上方のアーム部１４ａの屈曲された部分の内側には、カメラ本体１１とＬＣＤ１５とを電気的に接続する接点１６（図３参照）が設けられている。また、下部のアーム部１４ｂには、メモリカード４４に記憶されている複数個の画像を次々と送りながら又は戻しながらＬＣＤ１５に再生表示するような場合に用いられる操作スイッチ１７が設けられている。
【００２４】
前記アーム部１４ａ，１４ｂは、フレーム１４の長手方向の中央部から図面右方側にやや寄った位置に形成され、画像表示ユニット１２をカメラ本体１１の前面部１１ａに装着した際に、撮影レンズ１８が露呈されるように画像表示ユニット１２を奥まで移動させることができるようになっている（図６参照）。
【００２５】
デジタルカメラ１０のカメラ本体１１の前面部１１ａには、撮影レンズ１８，ストロボ発光部１９，調光センサ２０及び検出スイッチ（ＳＷ）２２が設けられている。この検出ＳＷ２２は、前記画像表示ユニット１２をカメラ本体１１の前面部１１ａに装着した際に、前面部１１ａから突出した可動部２２ａが画像表示ユニット１２によって押されてオンになることにより画像表示ユニット１２が前面部１１ａに装着されたことを検出する。なお、撮影レンズ１８，ストロボ発光部１９及び調光センサ２０のいずれも前面部１１ａから突出していない。
【００２６】
カメラ本体１１の上面には、シャッタボタン２４と、カメラ本体１１の長手方向に細長く延びた溝２５とが配設されている。シャッタボタン２４は、これに触れることによりカメラ本体１１の電源がオンになるタッチセンサであるとともに、軽く押したままにする「半押し」ではＡＦ及び自動露出制御（ＡＥ）が作動してＡＦとＡＥをロックし、「半押し」から更に押し込む「全押し」で本番撮影が実行される。
【００２７】
前記溝２５には、カメラ本体１１の左手側の端部１１ｄからアーム部１４ａが着脱自在に挿入される。また、溝２５を構成する対向した壁面２５ａ，２５ｂ（図２参照）には、前記アーム部１４ａに設けられた接点１６と接触してこれと電気的に接続される接点２６，２７（図２参照）が設けられている。なお、接点２６，２７は、図面が煩雑になるのを避けるため、一続きのように描いているが、実際には複数個の接点からなる。また、前記壁面２５ａには、画像表示ユニット１２の長手方向の位置を規制する段差２８が設けられている。
【００２８】
画像表示ユニット１２を背面部１１ｂに装着する際の位置は、後述するように一定であるから、接点２６は、段差２８より端部１１ｄ側の壁面２５ａに設けられている。また、画像表示ユニット１２を前面部１１ａに装着する際の位置は、後述するように２箇所あるので、接点２７は、壁面２５ｂのほぼ全長にわたって細長く設けられている。また、右手で把持されるカメラ本体１１の端部１１ｃは、グリップ部として右手で把持しやすいように丸みを帯びた形状とされている。
【００２９】
図２に示すように、カメラ本体１１の背面部１１ｂの端部１１ｃに近い仮想線で示す縦に細長い領域３０には、ズームボタン３２，多機能の十字ボタン３３，メニュー／実行ボタン３４，液晶表示／戻るボタン３５，画像再生モードボタン３６及びセルフタイマーセットボタン３７が設けられている。なお、デジタルカメラ１０をミュージックプレーヤとして使用する際には、ズームボタン３２がボリューム調整に、また十字ボタン３３が選曲に用いられる。
【００３０】
カメラ本体１１の背面部１１ｂの中央部には、デジタルカメラ１０を写真スタンドのように立てるための脚部４０がヒンジ部４０ａを中心に回動自在に取り付けられている（図１０参照）。なお、前記ヒンジ部４０ａは、分かりやすくするために背面部１１ｂからかなり突出したように描いているが、その突出量は、画像表示ユニット１２の背面部１１ｂへの装着に支障がない程度に低く抑えられている。
【００３１】
また、背面部１１ｂの左手下方部には、検出ＳＷ４２が設けられている。この検出ＳＷ４２は、前記画像表示ユニット１２をカメラ本体１１の背面部１１ｂに装着した際に、背面部１１ｂから突出した可動部４２ａが画像表示ユニット１２によって押されてオンになることにより画像表示ユニット１２が背面部１１ｂに装着されたことを検出する。
【００３２】
前記端部１１ｄには、メモリカード４４を装着するためのカードスロット４５と、デジタルカメラ１０をミュージックプレーヤとして使用する際に、ステレオヘッドホンの接続端子が差し込まれるミニステレオジャック４７が設けられている。また、カメラ本体１１の下部には、前記アーム部１４ｂが着脱自在に挿入される溝４８が設けられている。
【００３３】
デジタルカメラ１０の電気的構成を示す図３において、ＣＰＵ５２は、操作部５４から入力される各種の操作信号に応じて、後述するモータドライバやストロボ装置５６のストロボ制御回路５７にコマンドを送る他、バス５８を介してカメラ本体１１の各部を制御する。前記操作部５４には、前記シャッタボタン２４，ズームボタン３２及び十字ボタン３３などが含まれる。また、前記ストロボ制御回路５７は、前記調光センサ２０からの出力に応じてストロボ発光部１９の発光を制御する。
【００３４】
前記撮影レンズ１８は、レンズ６２と絞り６３からなる。レンズ６２は、バリエータレンズである前群レンズと、フォーカシング機能をもったコンペンセータレンズである後群レンズとからなる。レンズ６２は、ステッピングモータを含むレンズ駆動機構６４によって駆動され、光学ズーム倍率の変更と焦点調節が行われる。絞り６３は、モータを含む絞り駆動機構６５によって駆動されて絞り径が切り換えられる。レンズ駆動機構６４及び絞り駆動機構６５は、ＣＰＵ５２に制御されるモータドライバ６６，６７によって駆動される。
【００３５】
撮影レンズ１８の背後には、ＣＣＤイメージセンサ（以下単にＣＣＤという）７０が配置されている。ＣＣＤ７０は、撮影レンズ１８を通過してその受光面に結像された被写体光を光電変換し、アナログの撮像信号を出力する。ＣＣＤ７０には、シャッタボタン２４の操作に応じてシャッタレリーズ動作を行なう電子シャッタ機能が備えられている。この電子シャッタ機能は、ＣＣＤドライバ７１から入力されるタイミング信号（クロックパルス）に基づいて制御される。
【００３６】
スルー画表示の際にはＣＣＤ７０からフィールド画（偶数フィールド又は奇数フィールド）の撮像信号が読み出され、アナログ信号処理回路７２に入力される。また、本番撮影時にはＣＣＤ７０からフレーム画の撮像信号が読み出され、アナログ信号処理回路７２に入力される。このアナログ信号処理回路７２は、相関二重サンプリング回路（ＣＤＳ）と、増幅器（ＡＭＰ）とからなる。ＣＤＳは、前記撮像信号からＲ，Ｇ，Ｂのアナログ画像信号を生成する。ＡＭＰは、前記Ｒ，Ｇ，Ｂのアナログ画像信号を増幅する。
【００３７】
前記アナログ信号処理回路７２から出力された撮像信号は、Ａ／Ｄ変換器７４によりデジタルの画像データに変換された後、バス５８を介してＳＤＲＡＭなどの画像メモリ７６に格納される。タイミングジェネレータ（ＴＧ）７７は、ＣＰＵ５２の指令に従ってＣＣＤドライバ７１、アナログ信号処理回路７２及びＡ／Ｄ変換器７４に対してタイミング信号を与えており、このタイミング信号によって各回路の同期がとられている。
【００３８】
前記バス５８には、前記ＣＰＵ５２，Ａ／Ｄ変換器７４，画像メモリ７６の他、画像信号処理回路７８，圧縮伸長処理回路７９，ビデオエンコーダ８０，メディアコントローラ８２，ＡＥ検出回路８４，ＡＦ検出回路８５，音声再生回路８６，ユニット取付検出回路８７及びカウンタ８９が接続されている。前記ビデオエンコーダ８０には、前記接点２６，２７が接続されている。また、前記音声再生回路８６には、ミニステレオジャック４７が接続されている。また、前記ユニット取付検出回路８７には、前記検出ＳＷ２２，４２が接続されている。
【００３９】
画像信号処理回路７８は、デジタルのＲ，Ｇ，Ｂの画像データに対して、階調変換、ホワイトバランス補正、γ補正処理などの各種画像信号処理と、ＹＣ変換処理とを施す。撮影モード下で本番撮影が実行される前には、画像信号処理回路７８に入力されたスルー画の画像データ（フィールド画）は、簡易な画像信号処理とＹＣ変換処理とが施されて画像メモリ７６に一時的に書き込まれる。
【００４０】
画像メモリ７６には、連続した２フィールド画分を記憶するスルー画用のメモリ領域があり、一方から読み出し中に、他方に書き込みをする。ビデオエンコーダ８０は、画像メモリ７６に書き込まれた画像データをコンポジット信号に変換し、接点２６，１６または接点２７，１６と制御基板８８を介してＬＣＤ１５にスルー画像として表示する。また、前記制御基板８８には、前記操作スイッチ１７が取り付けられている。
【００４１】
また、シャッタボタン２４の全押しによる本番撮影が実行されたときには、画像信号処理回路７８に入力されたフレーム画の画像データは、本格的な画像信号処理とＹＣ変換処理とが施され、画像メモリ７６に一時的にストアされた後、圧縮伸長処理回路７９で圧縮処理が施されてから、メディアコントローラ８２を介してメモリカード４４に記憶される。
【００４２】
前記ＡＥ検出回路８４は、撮像信号の輝度信号を積分演算し、得られた測光データとしての輝度積分値をＣＰＵ５２に送る。また、ＡＦ検出回路８５は、撮像信号を空間周波数成分に分解し、このうち高周波数成分のコントラストデータをＣＰＵ５２に送る。ＣＰＵ５２は、モータドライバ６６を介してレンズ駆動機構６４を制御し、フォーカシングレンズを光軸方向に進退させて、被写体像の高周波数成分のコントラストが最も高くなる位置で停止させる。
【００４３】
前記ユニット取付検出回路８７は、図４に示すように、画像表示ユニット１２がカメラ本体１１の背面部１１ｂに装着されると（図１１（Ｂ）参照）、検出ＳＷ４２がオンになってこの信号が入力されるから、画像表示ユニット１２がカメラ本体１１の背面部１１ｂに装着されたことを検出する。また、図５又は図６に示すように、画像表示ユニット１２がカメラ本体１１の前面部１１ａに装着されると（図１１（Ｃ）参照）、検出ＳＷ２２のオン信号が入力されるから、ユニット取付検出回路８７は、画像表示ユニット１２がカメラ本体１１の前面部１１ａに装着されたことを検出する。
【００４４】
前記ユニット取付検出回路８７からの検出信号は、バス５８を介してＣＰＵ５２に送られ、ＣＰＵ５２は検出信号に応じてモードを切り替える。前記検出信号が、カメラ本体１１の背面部１１ｂに画像表示ユニット１２が装着されたことを示すものである場合には、ＣＰＵ５２は、図７に示すように、ＬＣＤ１５に第１メニュー画面１０１を表示し、選択可能なモードを周知の「静止画撮影モード」，「動画撮影モード」，「再生モード」のうちいずれかに制限する。
【００４５】
また、前記検出信号が、カメラ本体１１の前面部１１ａに画像表示ユニット１２が装着されたことを示すものである場合には、ＣＰＵ５２は、撮影レンズ１８が画像表示ユニット１２によって塞がれているか否かを判断する。この判断は、ＣＣＤ７０からフィールド画の撮像信号が読み出せるか否かで行なわれ、撮像信号が読み出せる場合には、撮影レンズ１８が露呈しており、撮像信号が読み出せない場合には、撮影レンズ１８が塞がれていると判断される。
【００４６】
前記検出信号がカメラ本体１１の前面部１１ａに画像表示ユニット１２が装着されたことを示すと同時に撮影レンズ１８が塞がれていると判断された場合には、図８に示すように、ＬＣＤ１５に第２メニュー画面１０２を表示し、選択可能なモードを「画像ビューワモード」か「ミュージックプレーヤモード」のうちいずれかに制限する。
【００４７】
前記「画像ビューワモード」は、メモリカード４４に記録されている静止画像を所定時間間隔で自動再生したり、パーソナルコンピュータなどからメモリカード４４に取り込んだＴＶ画像などの動画を鑑賞するモードであり、表示画像の送りや戻しなどの操作は、操作スイッチ１７で行なわれる。また、前記「ミュージックプレーヤモード」は、周知のように、ＭＰ３などのデータ形式でメモリカード４４に録音された音声データを音声再生回路８６が再生してミニステレオジャック４７に接続されたステレオヘッドホンから出力する。
【００４８】
また、前記検出信号がカメラ本体１１の前面部１１ａに画像表示ユニット１２が装着されたことを示すと同時に撮影レンズ１８が露呈されていると判断された場合には、図９に示すように、ＬＣＤ１５に自分撮り撮影モードにセットされた旨を示すメッセージ画面１０３を所定時間，例えば５秒間表示し、自分自身を撮影する撮影モードである「自分撮り撮影モード」にモード設定する。この「自分撮り撮影モード」では、前面部１１ａに装着した画像表示ユニット１２のＬＣＤ１５に表示される自分自身の姿が鏡を見ているように左右反転表示される。
【００４９】
また、画像表示ユニット１２をカメラ本体１１の前面部１１ａに装着した場合には、図１０に示すように、背面部１１ｂに設けられた脚部４０を開いてカメラ本体１１を机上などに起立させることができる。前記カウンタ８９は、セルフタイマーセットボタン３７を押してからシャッタボタン２４を全押しすると、動作を開始する。
【００５０】
カメラ本体１１及び画像表示ユニット１２の断面を示す図１１において、撮影レンズ１８とＣＣＤ７０からなる撮像ユニット９０やＣＰＵ５２をはじめとするほとんどの部品がメイン基板９２に取り付けられ、カメラ本体１１の内部に固定されている。また、メイン基板９２に隣接して、十字ボタン３３や液晶表示／戻るボタン３５などの操作ボタン類を実装した操作基板９４が設けられている。
【００５１】
溝２５の壁面２５ａ，２５ｂに取り付けられた接点２６，２７は、それぞれコード線９６，９７を介してメイン基板９２に接続されている。また、前面部１１ａ，背面部１１ｂに取り付けられた検出ＳＷ２２，４２は、コード線９８，９９を介してメイン基板９２に接続されている。
【００５２】
同図（Ｂ）に示すように、画像表示ユニット１２をカメラ本体１１の背面部１１ｂに装着すると、検出ＳＷ４２が画像表示ユニット１２に押されてオンになると同時に接点１６が接点２６に接触する。また、同図（Ｃ）に示すように、画像表示ユニット１２をカメラ本体１１の前面部１１ａに装着すると、検出ＳＷ２２が画像表示ユニット１２に押されてオンになると同時に接点１６が接点２７に接触する。
【００５３】
このように構成された実施形態の作用を説明する。まず、デジタルカメラ１０をカメラとして使用する際には、図４に示すように、画像表示ユニット１２をカメラ本体１１の背面部１１ｂに装着する。この装着に際しては、カメラ本体１１の端部１１ｄ側からアーム部１４ａ，１４ｂを溝２５，４８に差し込み、端部１１ｃ側へ画像表示ユニット１２をスライド移動させてゆく。壁面２５ａに形成された段差２８にアーム部１４ａの端部が当接し、それ以上のスライド移動が阻止されるから、背面部１１ｂのうち領域３０のみが露呈した状態で画像表示ユニット１２が背面部１１ｂに装着され、接点１６が接点２６に接触される。これにより、操作部５４の操作を支障なく行なえるともに、端部１１ｃをグリップ部として使用できる。
【００５４】
シャッタボタン２４に軽く触れると、カメラ本体１１の電源がオンになる。図１２のフローチャートに示されるように、可動部４２ａが画像表示ユニット１２に押されて検出ＳＷ４２がオンになり（ｓｔ１）、画像表示ユニット１２が背面部１１ｂに装着されていることを示す検出信号が検出ＳＷ４２からＣＰＵ５２に入力される。
【００５５】
図７に示すように、ＬＣＤ１５に第１メニュー画面１０１が表示され（ｓｔ２）、その他のメニュー画面は表示されないから、選択できるモードが第１メニュー画面１０１が表示された「静止画撮影モード」，「動画撮影モード」，「再生モード」のうちいずれかに限定される。ＬＣＤ１５の表面にはタッチセンサが設けられており、指で「静止画撮影モード」，「動画撮影モード」，「再生モード」のうちいずれか１個をタッチすれば、そのタッチされたモードが選択される（ｓｔ３）。
【００５６】
また、図５に示すように、カメラ本体１１の前面部１１ａの全体を覆うように画像表示ユニット１２を装着すると、接点１６が接点２７に接触するとともに、検出ＳＷ２２がオンになり（ｓｔ４）、撮影レンズ１８が露呈していないから（ｓｔ５）、図８に示すように、第２メニュー画面１０２がＬＣＤ１５に表示される（ｓｔ６）。このとき、第２メニュー画面１０２以外のメニューは表示されないから、選択できるモードが「画像ビューワモード」，「ミュージックプレーヤモード」のうちいずれか一方に限定される。「画像ビューワモード」，「ミュージックプレーヤモード」のうちいずれか一方をタッチすると、そのタッチされたモードが選択される（ｓｔ３）。
【００５７】
このように、「画像ビューワモード」，「ミュージックプレーヤモード」の各モードでは、レンズバリアを設けることなく、撮影レンズ１８が完全に覆われるので、コストの上昇を招くことなく、撮影レンズ１８への指紋やゴミの付着を防止できるとともに、輸送・携帯時の外力にも強いデジタルカメラ１０が得られる。
【００５８】
また、図６に示すように、画像表示ユニット１２を溝２５の最奥部まで差し込み、前面部１１ａの最も端部１１ｃ寄りの位置にセットすると、撮影レンズ１８が露呈する。この状態では、検出ＳＷ２２がオンになり（ｓｔ４）、撮影レンズ１８が露呈しているから（ｓｔ５）、ＣＰＵ５２は「自分撮り撮影モード」にセットすると同時に、図９に示すように、ＬＣＤ１５に「自分撮り撮影モードにセットされました」という画面１０３を例えば５秒間表示した後、スルー画を左右反転して表示する。
【００５９】
また、セルフタイマーセットボタン３７を押してからシャッタボタン２４を全押しすると、カウンタ８９が作動を開始し、ＬＣＤ１６に、例えば「１０」，「９」，・・・，「３」，「２」，「１」，「０」の数字が１秒間隔で順番に表示されるカウントダウン表示が行なわれる。
【００６０】
以上説明した実施形態では、画像表示ユニットを背面部に装着する際には、シャッタボタンを除く操作部の全部を露呈するようにしたが、本発明はこれに限定されることなく、例えば「画像ビューワモード」，「ミュージックプレーヤモード」に設定する各モード設定スイッチを領域３０の外に設け、これらが撮影を行なう時には画像表示ユニットによって覆い隠され、画像表示ユニットを前面部に装着すると、露呈されるようにしてもよい。
【００６１】
また、上記実施形態では、ＬＣＤをタッチセンサ方式とし、モードの選択を指のタッチで行なったが、本発明はこれに限定されることなく、例えばカーソルをＬＣＤの画面に表示し、これを十字ボタン等で移動させてからメニュー／実行ボタンを押圧してモード選択を行なうようにしてもよい。
【００６２】
また、上記実施形態では、自分撮り撮影モードにセットした旨の表示を５秒間としたが、本発明はこれに限定されることなく、例えば２秒間でも、１０秒間でもよい。また、上記実施形態では、撮影レンズをカメラ本体１１の前面から突出しないタイプとしたが、撮影レンズを沈胴式としてもよい。この場合には、撮影レンズの近傍にセンサを設け、画像表示ユニットの着脱時に撮影レンズが自動的に沈胴するように制御する。
【００６３】
また、上記実施形態では、溝の断面形状を矩形としたが、レールのようなＴ字状にしてもよい。
【００６４】
また、上記実施形態では、画像表示ユニットの装着を検出ＳＷのオン／オフで検出したが、接点の抵抗値変動を検出することにより検出することもできる。また、上記実施形態は、本発明をデジタルカメラに適用した例であったが、例えばカメラ付き携帯電話やカメラ付きＰＤＡなどの撮像装置に適用することができる。
【図面の簡単な説明】
【００６５】
【図１】本発明の実施形態であるデジタルカメラを構成するカメラ本体と画像表示ユニットの外観を示す斜視図である。
【図２】カメラ本体の背面部を示す斜視図である。
【図３】デジタルカメラの電気的構成を示すブロック図である。
【図４】カメラ本体の背面部に画像表示ユニットを装着した状態を示す斜視図である。
【図５】カメラ本体の前面部の全面を覆うように画像表示ユニットを装着した状態を示す斜視図である。
【図６】撮影レンズを露呈してカメラ本体の前面部に画像表示ユニットを装着した状態を示す斜視図である。
【図７】第１メニュー画面を示す説明図である。
【図８】第２メニュー画面を示す説明図である。
【図９】メッセージ画面を示す説明図である。
【図１０】脚部を開いた状態を示す斜視図である。
【図１１】カメラ本体と画像表示ユニットの断面図である。
【図１２】デジタルカメラの主なシーケンスを示すフローチャートである。
【符号の説明】
【００６６】
１０  デジタルカメラ
１１  カメラ本体
１１ａ  前面部
１１ｂ  背面部
１１ｃ，１１ｄ  端部
１２  画像表示ユニット
１４ａ，１４ｂ  アーム部
１５  ＬＣＤ
１６，２６，２７  接点
１８  撮影レンズ
２２，４２  検出ＳＷ
２５，４８  溝
３０  領域
４０  脚部
５２  ＣＰＵ
５４  操作部
８７  ユニット取付検出回路
【図１】
0004657977.tif 000002
【図２】
0004657977.tif 000003
【図３】
0004657977.tif 000004
【図４】
0004657977.tif 000005
【図５】
0004657977.tif 000006
【図６】
0004657977.tif 000007
【図７】
0004657977.tif 000008
【図８】
0004657977.tif 000009
【図９】
0004657977.tif 000010
【図１０】
0004657977.tif 000011
【図１１】
0004657977.tif 000012
【図１２】
0004657977.tif 000013